(57)【要約】【課題】  壁や天井などの屋内設置面に取り付けて使用する照明器具において、設置スペースが最小で済むコンパクトな照明器具を提供する。【解決手段】  設置面に固定される長尺状の取付部材２と、発光部３１を含み、取付部材２に接続する長尺状の照明体３とを備え、取付部材２は、設置面に対向する面２１１の背面側に、照明体３が接続する被接続体２２を収容する被接続体収容部２１５を有し、照明体３は、発光部３１の背面側に、電源用電池を収容する電池収容部３３１と、取付部材２に接続する接続体３４を収容する接続体収容部３３２を有し、電池収容部３３１は、照明体３の長手方向に沿う一方の列に配設され、接続体収容部３３２は、照明体３の長手方向に沿う他方の列に配設されていることを特徴とする。【選択図】  図１
2016031858.tif 000002
【特許請求の範囲】
【請求項１】
設置面に固定される長尺状の取付部材と、
発光部を含み、前記取付部材に接続する長尺状の照明体とを備え、
前記取付部材は、前記設置面に対向する面の背面側に、前記照明体が接続する被接続体を収容する被接続体収容部を有し、
前記照明体は、前記発光部の背面側に、電源用電池を収容する電池収容部と、前記取付部材に接続する接続体を収容する接続体収容部を有し、
前記電池収容部は、前記照明体の長手方向に沿う一方の列に配設され、
前記接続体収容部は、前記照明体の長手方向に沿う他方の列に配設されていることを特徴とする照明器具。
【請求項２】
前記被接続体収容部は、前記取付部材の長手方向に沿う一方の列から他方の列にわたって形成されていることを特徴とする請求項１に記載の照明器具。
【請求項３】
前記照明体は、照明体の長手方向一端部に配設された人感センサーをさらに有していることを特徴とする請求項２に記載の照明器具。
【発明の詳細な説明】
【技術分野】
【０００１】
本発明は、壁や天井などの屋内設置面に取り付けて使用する照明器具に関する。
【背景技術】
【０００２】
従来、壁や天井などの屋内設置面に取り付けて使用する照明器具として、例えば、特許文献１に示すような乾電池式照明器が知られている。
【０００３】
この特許文献１に示される乾電池式照明器は、屋内配線工事や埋め込み用の穴開け工事などの煩雑な工事を必要とせずに、容易に壁や手摺り等の建物の所要の場所に設置することができる点で有用とされ、乾電池により電源供給される光源を有する筒型照明器本体と、この照明器本体が任意角度に回動自在にその両端部において軸支される取付台座とを備えている。
【０００４】
照明器本体は中空筒体であり、その中空部分には乾電池が着脱自在とされるとともに、光源が内蔵されており、その裏面には着脱自在な乾電池の取り外しと装入のためのカバーが設けられている。そして、照明器本体は、取付台座の左右両端部における固定板部からねじ込まれたつまみネジによってその端部が回動自在に軸支されて取付台座に取付固定される。
【先行技術文献】
【特許文献】
【０００５】
【特許文献１】特開平１１−４５６１０号公報
【発明の概要】
【発明が解決しようとする課題】
【０００６】
しかしながら、上記の乾電池式照明器においては、固定板部が取付台座の基板部から照明器本体の厚さ以上にわたって立設され、その固定基板部間に照明器本体が接続され、保持される構造となっているため、照明器全体としての大きさが照明器本体よりもかなり大きなものとなり、必要以上の設置スペースを確保しなければならないという問題があった。    
【０００７】
本発明は、上記課題を解決するためになされたものであり、壁や天井などの屋内設置面に取り付けて使用する照明器具において、設置スペースが最小で済むコンパクトな照明器具を提供することを目的とする。
【課題を解決するための手段】
【０００８】
前記目的を達成するため、本発明の照明器具は、設置面に固定される長尺状の取付部材と、発光部を含み、取付部材に接続する長尺状の照明体とを備え、取付部材は、設置面に対向する面の背面側に、照明体が接続する被接続体を収容する被接続体収容部を有し、照明体は、発光部の背面側に、電源用電池を収容する電池収容部と、取付部材に接続する接続体を収容する接続体収容部を有し、電池収容部は、照明体の長手方向に沿う一方の列に配設され、接続体収容部は、照明体の長手方向に沿う他方の列に配設されていることを特徴とする。
【発明の効果】
【０００９】
本発明の照明器具によれば、厚さ方向及び長手方向において、電池収容部と接続体収容部が重ならないように配設されているので、照明器具の厚さと長さが必要最小限の大きさとなり、照明器具の設置スペースが最小で済む。
【図面の簡単な説明】
【００１０】
【図１】本発明の一実施形態にかかる照明器具の分解斜視図であり、（ａ）は照明体側から見た図、（ｂ）は取付部材側から見た図である。
【図２】図１における取付部材に照明体が接続した状態を示す図である。
【図３】図１における取付部材の平面図である。
【図４】図１における照明体の底面図である。
【発明を実施するための形態】
【００１１】
以下、本発明の実施形態について、図面を参照して説明する。
【００１２】
図１〜４において、本発明の一実施形態にかかる照明器具１は、壁や天井などの屋内設置面に固定される取付部材２と、この取付部材２に接続して使用される照明体３とを備えている。
【００１３】
取付部材２は、長尺状部材の長手方向の縁部が一方に向けて折り曲げられたコの字状の基体２１を有し、基体２１の折り曲げられた方向と反対の方向に、設置面に対向する面２１１が形成されている。
【００１４】
一方、基体２１の折り曲げられた方向と同一の方向には、設置面に対向する面２１１の背面２１２から突出する第１固定部材収容部２１３、第２固定部材収容部２１４と被接続体収容部２１５が形成されている。
【００１５】
ここで、第１固定部材収容部２１３は、ネジ止めして取付部材２を設置面に固定する場合に使用するもので、第１固定部材収容部２１３の中心に、ネジを収容するための貫通孔が開けられている。
【００１６】
また、第２固定部材収容部２１４は、釘を打ち付けて取付部材２を設置面に固定する場合に使用するもので、第２固定部材収容部２１４の中心に、釘を収容するための貫通孔が開けられている。第２固定部材収容部２１４の貫通孔は、取付部材２の横手方向に平行な方向において、設置面に対向する面２１１の背面２１２から設置面に対向する面２１１に向かうにつれて横手方向一方から他方に近づくように傾斜している。
【００１７】
被接続体収容部２１５は、取付部材２の長手方向両端部にそれぞれ１つずつ配設されており、横手方向一方から他方にわたって形成されている。被接続体収容部２１５の内側には、照明体３に向かって開口する空間が設けられており、この空間に被接続体２２が収容されている。
【００１８】
被接続体２２は、被接続体収容部２１５の開口部より内方に窪んで収容されており、被接続体収容部２１５の開口部と被接続体２２の上面２２１との間に段差が形成されている。
【００１９】
取付部材２の基体２１は、例えばポリカーボネートのような熱可塑性のプラスチック材料からなり、素材から一体成型して得られる。被接続体２２は磁性体材料からなるものであり、本実施例では鉄板の表面にニッケルメッキを施したものを用いている。
【００２０】
照明体３は、発光部３１、人感センサー３２と本体ケース３３を有している。発光部３１は、外側が透光性カバー３１１で覆われており、その内側にＬＥＤ発光源が実装された基板や点灯回路などが配設されている。人感センサー３２は、照明体３の長手方向一端部に配設されており、人感センサー３２が長手方向一方からの人体を検知することにより、発光部３１が点灯する。
【００２１】
本体ケース３３は、発光部３１の背面に接続して設けられており、本体ケース３３の長手方向に沿う一方の列に電源用電池を収容する電池収容部３３１が形成され、長手方向に沿う他方の列に接続体収容部３３２が形成されている。
【００２２】
接続体収容部３３２は、本体ケース３３の長手方向両端部にそれぞれ１つずつ配設されており、２つの接続体収容部３３２の中心間を結ぶ距離が、２つの被接続体収容部２１５の中心間を結ぶ距離と同じになるように形成されている。接続体収容部３３２の内側には、取付部材２に向かって開口する空間が設けられており、この空間に接続体３４が収容されている。接続体３４の中心には、貫通孔が開けられており、この貫通孔にネジ部材３５が挿入されている。
【００２３】
接続体３４は、接続体収容部３３２の開口部より外方に突出して収容されており、接続体収容部３３２の開口部と接続体３４の上面３４１との間に段差が形成されている。また、ネジ部材３５は、接続体３４の上面３４１より内方に窪んで収容されている。
【００２４】
本体ケース３３は、例えばポリカーボネートのような熱可塑性のプラスチック材料からなり、素材から一体成型して得られる。接続体３４は永久磁石からなり、ネジ部材３５は磁性体材料からなる。接続体３４は、ネジ部材３５に磁着し、ネジ部材３５と一体化して接続体収容部３３２に収容されている。
【００２５】
図１〜４において、被接続体収容部２１５の開口部は、接続体収容部３３２の開口部より大きい。ここで、「接続体収容部３３２の開口部よりも被接続体収容部２１５の開口部の方が大きい」とは、接続体収容部３３２の開口部と被接続体収容部２１５の開口部を重ね合わせた場合に、被接続体収容部２１５の開口部に接続体収容部３３２の開口部が含まれうるということを意味している。
【００２６】
このような構成の照明器具１を屋内設置面に取り付けて使用するには、まず取付部材２を設置面に固定する。固定する方法としては、第１固定部材収容部２１３にネジを挿入して設置面にネジをねじ込む方法や、第２固定部材収容部２１４に釘を挿入して設置面に釘を打ち込む方法などがあるが、設置面を傷つけないようにするため、取付部材２の設置面に対向する面２１１を設置面に両面粘着テープなどで接着する方法を用いてもよい。
【００２７】
次に、このようにして設置面に固定した取付部材２に照明体３を接続する。接続するには、基体２１の折り曲げられた縁部に沿って照明体３を取付部材２に挿入し、照明体３の接続体３４を取付部材２の被接続体２２に当接しさえすればよい。これにより、図２に示すような照明器具１が、屋内設置面に取り付くことになる。
【００２８】
本実施形態では、接続体３４が永久磁石からなり、被接続体２２が磁性体材料からなるように構成されているので、接続体３４を被接続体２２に当接するだけで照明体３が取付部材２に接続される。
【００２９】
ここで、本実施形態の照明器具１では、本体ケース３３の長手方向に沿う一方の列に電池収容部３３１が形成され、長手方向に沿う他方の列に接続体収容部３３２が形成されていて、照明体３の厚さ方向及び長手方向において、電池収容部３３１と接続体収容部３３２が重ならないように配設されている。したがって、照明器具１の厚さと長さを必要最小限の大きさとすることができ、照明器具１を設置するスペースを最小にすることができる。
【００３０】
照明体３と取付部材２を位置合わせする場合には、照明体３の横手方向の位置を取付部材２の基体２１の折り曲げられた縁部に合わせる必要があるが、長手方向の位置はある程度の範囲での自由度が許容される。すなわち、接続体収容部３３２の開口部よりも被接続体収容部２１５の開口部の方が大きくなるように構成しているので、長手方向の位置合わせに多少のずれがあったとしても、接続体３４の全面が被接続体２２に当接するので、位置ずれによって接続状態が不安定になることが防止される。
【００３１】
ここで、被接続体収容部２１５が、取付部材２の横手方向一方から他方にわたって形成されている、すなわち取付部材２の長手方向に沿う一方の列から他方の列にわたって形成されている。そのため、照明体３の長手方向に沿う他方の列を取付部材２の長手方向に沿う一方の列に合わせた場合、照明体３の長手方向に沿う他方の列を取付部材２の長手方向に沿う他方の列に合わせた場合のいずれにおいても、接続体収容部３３２と対向する位置に被接続体収容部２１５が存在する。したがって、照明体３を長手方向に沿って１８０°回転させ、電池収容部３３１が配設されている列の位置と接続体収容部３３２が配設されている列の位置を上下逆にしたとしても、照明体３が取付部材２に間違いなく接続される。
【００３２】
また、照明体３を長手方向に沿って１８０°回転させ、人感センサー３２の位置を左右逆にしても照明体３が取付部材２に接続されるので、同じ照明体３を用いて、人感センサー３２の検知方向を任意に変えることができる。
【００３３】
以上説明したように、本発明の照明器具によれば、厚さ方向及び長手方向において、電池収容部と接続体収容部が重ならないように配設されているので、照明器具の厚さと長さが必要最小限の大きさとなり、照明器具の設置スペースが最小で済む。
【００３４】
なお、本発明は上記実施形態に限定されるものではなく、本発明の範囲内で多くの修正および変更を加えることができる。
【００３５】
例えば、上記の実施形態では、被接続体２２に磁性体材料を用い、接続体３４に永久磁石を用いた構成を示したが、これとは逆に、被接続体２２に永久磁石を用い、接続体３４に磁性体材料を用いてもよい。また、被接続体２２、接続体３４の双方を永久磁石としても構わない。
【符号の説明】
【００３６】
１  照明器具
２  取付部材
２１  基体
２１１  設置面に対向する面
２１２  背面
２１３  第１固定部材収容部
２１４  第２固定部材収容部
２１５  被接続体収容部
２２  被接続体
３  照明体
３１  発光部
３１１  透光性カバー
３２  人感センサー
３３  本体ケース
３３１  電池収容部
３３２  接続体収容部
３４  接続体
３５  ネジ部材
【図１】
2016031858.tif 000003
【図２】
2016031858.tif 000004
【図３】
2016031858.tif 000005
【図４】
2016031858.tif 000006